(57)【要約】【課題】  本考案は、皮膚の摩擦が柔らかく、吸収力が優秀で水分の吸収はもちろん、保温カにも優れ、使用の便利性が高い産婦乳房マッサージ布を提供することを目的とする。【解決手段】  上記目的を解決するため、内皮構成体と外皮構成体の区分で空間部をもつ超極細繊維糸を複数のフィラメントとしてまとめた撚り糸で編織された布であって、この布の中央部付近に乳頭の出入が可能な切開部を形成し、好ましくは前記超極細繊維糸は、太さ１デニール以下の太さのフィラメント繊維であり、材料成分がポリエステル糸、ポリアミド糸、またはポリエステル／ポリアミドの混合糸である構成の産婦乳房マッサージ布とした。【選択図】図１
0003105993.tif 000002
【実用新案登録請求の範囲】
【請求項１】
内皮構成体と外皮構成体の区分で空間部をもつ超極細繊維糸を複数のフィラメント糸としてまとめた撚り糸で編織された布であって、
この布の中央部付近に乳頭の出入が可能な切開部を形成した産婦乳房マッサージ布。
【請求項２】
前記超極細繊維糸は、太さ１デニール以下の太さのフィラメント繊維であり、材料成分がポリエステル糸、ポリアミド糸、またはポリエステル／ポリアミドの混合糸である請求項１の産婦乳房マッサージ布。
【請求項３】
前記撚り糸は、さらにポリプロピレンなどの化成フィラメント糸を含有する請求項１または２の産婦乳房マッサージ布。
【請求項４】
前記超極細繊維糸の撚り糸全体に対する比率が、超極細繊維糸の混合比率を２０%以上混合した請求項１〜３のいずれかの産婦乳房マッサージ布。
【請求項５】
.前記超極細繊維糸の断面が一定間隔の空間部を有し、これにより高い吸収や保温が可能になる請求項１〜４のいずれかの産婦乳房マッサージ布。
【請求項６】
請求項１の編織された布で袋体を形成し、表面または裏面あるいはその両面に乳頭の出入りが可能な切開部を形成した産婦乳房マッサージ布。
【考案の詳細な説明】
【背景技術】
【０００１】
現代の産婦は、一般に新生児に授乳する前に、乳を円滑に出す為の乳房マッサージを行っている。
【０００２】
通常、マッサージの時には、一般的なタオルを使用し、熱いお湯に漬け、絞って使用されるが、この様なことが何回も繰り返されることにより、タオル自体のまばらで粗い面が乳房を傷つけてしまうことがある。また、保温が容易ではない為、温かいお湯に何回も漬けなければならず、極めて不便である。そして、水分などの吸収力が低く、使用途中に水分が流れ落ち、ベッドカバーや布団などを濡らしてしまうといった問題点があった。特に、保温性が低いためすぐに交換しなければならず、看護する人にとってはとても苦痛であった。
【０００３】
なお、特開平９−６６０８５号公報には、乳房を覆うように成形された本体ケーシングと、この本体ケーシング内面頂部に開口された乳首挿入孔と、この乳首挿入孔内で開閉作動して乳首側部を間欠的に挟む動作を行うリンク機構とを有することを特徴とする、乳首マッサージ器が開示されている。また、特開２００２−１４５８０３号公報には、食用または食品に添加可能な油剤６５〜９０質量％、食用可溶化剤１〜１０質量％、多価アルコール１〜３０質量％、および水残部とからなる組成を有するゲル状マッサージオイルが開示されているが、何れもマッサージ布に関する記述はなく、上記問題を解決しうるものではなかった。
【０００４】
【特許文献１】特開平９−６６０８５号公報
【特許文献２】特開２００２−１４５８０３号公報
【考案の開示】
【考案が解決しようとする課題】
【０００５】
本考案の目的は、皮膚の摩擦が柔らかく、吸収力が優秀で水分の吸収はもちろん、保温カにも優れ、使用の便利性が高い産婦乳房マッサージ布を提供することである。
【課題を解決するための手段】
【０００６】
すなわち、上記目的は、以下の本考案の構成により解決される。
（１）  内皮構成体と外皮構成体の区分で空間部をもつ超極細繊維糸を複数のフィラメント糸としてまとめた撚り糸で編織された布であって、
この布の中央部付近に乳頭の出入が可能な切開部を形成した産婦乳房マッサージ布。
（２）  前記超極細繊維糸は、太さ１デニール以下の太さのフィラメント繊維であり、材料成分がポリエステル糸、ポリアミド糸、またはポリエステル／ポリアミドの混合糸である上記（１）の産婦乳房マッサージ布。
（３）  前記撚り糸は、さらにポリプロピレンなどの化成フィラメント糸を含有する上記（１）または（２）の産婦乳房マッサージ布。
（４）  前記超極細繊維糸の撚り糸全体に対する比率が、超極細繊維糸の混合比率を２０%以上混合した上記（１）〜（３）のいずれかの産婦乳房マッサージ布。
（５）  .前記超極細繊維糸の断面が一定間隔の空間部を有し、これにより高い吸収や保温が可能になる（１）〜（４）のいずれかの産婦乳房マッサージ布。
（６）  上記（１）の編織された布で袋体を形成し、表面または裏面あるいはその両面に乳頭の出入りが可能な切開部を形成した産婦乳房マッサージ布。
【考案の効果】
【０００７】
本考案によれば、超極細糸を利用した撚り糸を編織した布を用い、かつ布の中央部付近切開部を有するため、皮膚の摩擦が柔らかく、水分などの吸収力に優れ、水分の吸収はもちろん、保温カにも優れ、乳頭からの分泌物も素早く、確実に吸収され、使用の便利性が極めて高い産婦乳房マッサージ布を提供することができる。
【考案を実施するための最良の形態】
【０００８】
本考案の産婦乳房マッサージ布は、内皮構成体と外皮構成体の区分で空間部をもつ超極細繊維糸を複数のフィラメント糸としてまとめた撚り糸で編織された布であって、この布の中央部付近に乳頭の出入が可能な切開部を形成したものである。
【０００９】
このように、本考案では柔らかさや湿気の吸収性が優秀な、超極細繊維糸を撚り糸に製造した後、この撚り糸を使って編織し、布を形成した。よって保温や吸収性、柔らかさを同時に満足できるようになった。編織された布の中央には縫い代処理がされた切開部があり、この切開部を形成することにより、乳頭を入れることができる。その状態でマッサージを行うることで従来の問題点を解消することができる。
【００１０】
以下、別紙図面を参考にし、本考案にもっともふさわしい実施例を詳細に説明することとする。なお、明細書及ぴ図面に記載されている構造上の機能が統一される場合には、符号および説明を省略する。
【００１１】
本考案のマッサージ布は、超極細糸で編織された布であり、その中央には、縫い代処理が施された切開線１２を作る為に切開された切開部１０が形成された構成である。具体的には、例えば図１，２に示すように、タオルの中央に乳首を入れることができるように、３cm程度切開した後、縫製して切開部とすればよい。ここで、図１は一字形態の切開部を形成した例を示した斜視図、図２は十字形態の切開部を形成した例を示した斜視図である。
【００１２】
この時に使用される超極細糸２０は、髪の毛の１／１００程度の細さである。なお、具体的な細さとしては、１デニール（Denier）以下の太さのフィラメント繊維を使用する。また、その材料、成分にはポリエステル(Polyester)糸、ポリアミド(Polyamide)糸およびポリエステルとポリアミドの混成糸および、その他ポリプロピレン(Polyprophyrene)などの化成フィラメント糸等が用いられる。
【００１３】
また、この成分で作られた超極細糸は、例えば図５，６に示すように、複数の単糸を撚った撚り糸２１に使用される。ここで、図５は、超極細繊維糸の構成を表す拡大斜視図、図６は、超極細繊維糸を利用した撚り糸の構成を表す概略図である。この様な撚り糸は、超極細糸とは違う繊維糸の混合比率を、撚り糸２１中において超極細糸２０％以上を混合し使用する場合でも、優秀な効果を得るようになる。
【００１４】
この超極細糸２０の形態は、好ましくはポリエステルで構成されたもので、フィラメント糸を作る方法において、ノズルを通して作り出す放出糸であり、原糸断面が互いに異なる形態の断面が合わさって1つの原糸になるものや、互いに異なる断面が合わさり、その間(中間)に空間が形成される原糸断面の様に、糸が放出される際に、その断面が一定の間隔からなる内皮構成体２２が形成される。また、その空間には一定の間隔で切開された空間部１３を所有しながら挟み込める外皮構成体２３が形成されている。
【００１５】
このような空間部１３により、ホコリなどの吸着において優れた特性を有することになる。また、空間部１３が貫通することにより、排水などが容易になり吸着カが優秀で吸着された物も簡単に払い落とし、除去などが容易になるという長所がある。また、この様な空間部は水分の吸収力や排水カはもちろん、外皮構成体２３を使って皮膚をマッサージした時に、皮膚の表面が柔らかくなり、滑らかな肌になるという効果がある。
【００１６】
そして、この様なフィラメント糸の特徴はリント(糸くずや綿くず)の発生が起きないという長所はもちろんであり、このリントが起きないので反復的な洗濯をしても、毛玉が発生しないといったような、清潔感を維持できるという長所を有する。
【００１７】
よって、この様な超極細糸で編織された布は、編織された状態なので、超極細糸の空間部１３によって吸収力や保温カが極めて優秀になる。
【００１８】
また、図３，図４に示すように、超極細糸で編織された布をポケット１１のような袋体の形態に製作し、前面または後面、あるいはその両側に縫い代処理が施された切開線１２のような切開部１０を形成することにより、この切開部に乳首を通すことができ、乳房のマッサージを行うときにマッサージが容易になり使用の利便性が極めて高い。なお、図３は一字形態の切開部を有する例の斜視図、図４は十字型の切開部を有する例の斜視図である。
【００１９】
また、袋体は図示例のように、一方が開口し、その対向部分が円弧状に閉じたポケット状の形状の他、手の形状に合わせたミット状等にしてもよく、手を挿入してマッサージを行うのに都合のよい形状とすればよい。
【産業上の利用可能性】
【００２０】
本考案は産婦が新生児への授乳時にそれを円滑にし、産婦に起きやすい乳房の痺痛やうっ血及ぴ乳腺炎などの間題点を解決する為のマッサージに広く用いることができる。
【図面の簡単な説明】
【００２１】
【図１】本考案の一実施例であって、中央部に乳首を出し入れできるように一字形態の切開部を有するタオルの斜視図である。
【図２】本考案の一実施例であって、中央部に乳首を出し入れできるように十字形態の切開部を有するタオルの斜視図である。
【図３】本考案の他の実施例であって、中央部に乳首を出し入れできるように一字形態の切開部を有する袋体の斜視図である。
【図４】本考案の他の実施例であって、中央部に乳首を出し入れができるように十字形態の切開部を有する袋体の斜視図である。
【図５】超極細繊維糸の構成を表す拡大斜視図である。
【図６】超極細繊維糸を利用した撚り糸の構成を表す概略図である。
【符号の説明】
【００２２】
１０  切開部
１１  袋体
１２  切開線
１３  空間部
２０  超極細糸
２１  撚り糸
２２  内体(内皮構成体)
２３  外皮構成体
【図１】
0003105993.tif 000003
【図２】
0003105993.tif 000004
【図３】
0003105993.tif 000005
【図４】
0003105993.tif 000006
【図５】
0003105993.tif 000007
【図６】
0003105993.tif 000008